(57)【要約】      （修正有）【課題】所定の物品を帯留めとして使用する場合には帯や帯締めを傷つけにくく、またペンダントトップとして使用する場合には縦方向へ回転し難くするための金具、及び当該金具を取り付けた装身具を提供する。【解決手段】所定の物品をペンダントトップ及び帯留めとして使用可能とするための金具１０は、所定形状の主板１０ａ、主板１０ａの外縁の特定部分から折れ曲がって延出している第１脚板１０ｂ、特定部分とは反対側の主板１０ａ外縁の一部分から、第１脚板１０ｂが延出している側と同じ側に折れ曲がって延出している第２脚板１０ｃ、及び主板１０ａから延出し、第１脚板１０ｂと第２脚板１０ｃとが対向する部分の間に設けられた第３脚板１０ｄを有する。第１脚板１０ｂと第３脚板１０ｄとの間隔は、第２脚板１０ｃと第３脚板１０ｄとの間隔よりも狭く形成されている。【選択図】図１Ｂ
0003200488.tif 000002
【実用新案登録請求の範囲】
【請求項１】
所定の物品をペンダントトップ及び帯留めとして使用可能とするための金具であって、
所定形状の主板と、
前記主板の外縁の特定部分から折れ曲がって延出している第１脚板と、
前記特定部分とは反対側の前記主板外縁の一部分から、前記第１脚板が延出している側と同じ側に折れ曲がって延出している第２脚板と、
前記主板から延出し、前記第１脚板と前記第２脚板とが対向する部分の間に設けられた第３脚板と、
を有し、
前記第１脚板と前記第３脚板との間隔は、前記第２脚板と前記第３脚板との間隔よりも狭く形成されていることを特徴とする金具。
【請求項２】
前記第１脚板、前記第２脚板及び前記第３脚板それぞれの延出端が接続される台座を有することを特徴とする請求項１記載の金具。
【請求項３】
請求項１または２記載の金具が取り付けられることにより、前記主板、前記第１脚板及び前記第３脚板により形成される第１溝部に前記ペンダントトップとして使用するための紐状部材を通すことが可能であり、且つ前記主板、前記第２脚板及び前記第３脚板により形成される第２溝部に前記帯留めとして使用するための帯締めを通すことが可能な装身具。
【考案の詳細な説明】
【技術分野】
【０００１】
本考案の実施形態は、金具及び装身具に関する。
【背景技術】
【０００２】
着物を着装する際、帯結びを固定する目的、若しくは装飾目的で用いる「帯締め」と呼ばれる小道具がある。帯締めは、帯の上から締める紐状の部材である。また、帯締めに装着する「帯留め」と呼ばれる装身具がある。帯留めは装身具であるため、形状が工夫されていたり、表面に様々な装飾が施されているものが多い。従って、着物を着用しない場合には、帯留めを他のアクセサリー（たとえば、ペンダントトップやブローチ）として身に着けたいという要望がある。
【０００３】
たとえば、非特許文献１〜非特許文献３には、帯留めだけでなく、ペンダントトップ或いはブローチとして兼用することができる装身具が記載されている。
【先行技術文献】
【非特許文献】
【０００４】
【非特許文献１】“２ＷＡＹ  帯留め＆ペンダントトップ”、［ｏｎｌｉｎｅ］、有限会社武田呉服店、［平成２７年７月３０日検索］、インターネット＜ＵＲＬ：http://item.rakuten.co.jp/kimono-iroha/343-7/＞
【非特許文献２】“本鼈甲張*美しい薔薇*帯留め/ブローチ/ペンダントトップ”、［ｏｎｌｉｎｅ］、しぇんま屋、［平成２７年７月３０日検索］、インターネット＜ＵＲＬ：http://item.rakuten.co.jp/shenme-ya/odf00020/＞
【非特許文献３】“ハートのシルバー帯留め・ペンダントトップ”、［ｏｎｌｉｎｅ］、ハンズ・ギャラリーマーケット、［平成２７年７月３０日検索］、インターネット＜ＵＲＬ：http://hands-gallery.com/shop/agul/exhibits/66962＞
【考案の概要】
【考案が解決しようとする課題】
【０００５】
しかし、非特許文献１及び非特許文献２の装身具においては、帯留め用金具とペンダントトップ用金具とを別々に設けている。また、いずれの文献においても、帯留め用金具は複雑な構造となっている。このように、複数の金具を設けたり、個々の金具が複雑な構造をしている装身具を帯留めとして使用した場合、金具が帯に引っ掛かって帯を傷つける可能性が高くなる。また、非特許文献１のように帯締めを挟み込んで留めるクリップ式の金具は、装着する際に帯締めがヒンジ部分に挟まってしまい、帯締めが傷つく可能性もありうる。更に、装身具をペンダントトップとして使用する場合には、着用者の動きに伴って装身具が裏返り、その裏面が見える可能性もあるところ、裏面に複数の金具や複雑な構造の金具が設けられている場合には、審美性の観点からも望ましくない。
【０００６】
また、非特許文献３の装身具には一の金具が設けられている。この金具は、帯締めを通すことができ、且つペンダントトップ用のチェーンも通すことが可能な構成となっている。しかし、非特許文献３の金具は、帯締めの太さに合わせて、縦方向（帯締めが金具を通る方向と直交する方向）の幅が広く形成されている。よって、金具に帯締めよりも細いペンダントトップ用のチェーンを通した場合、チェーンが縦方向にずれ、ペンダントトップの重心よりも下側に位置することがある。この場合、ペンダントトップが縦方向に回転して裏返しになりやすいという問題がある。
【０００７】
本考案は、これらの問題を解決するためのものであって、所定の物品を帯留めとして使用する場合には帯や帯締めを傷つけにくく、またペンダントトップとして使用する場合には縦方向へ回転し難くするための金具、及び当該金具を取り付けた装身具を提供する。
【課題を解決するための手段】
【０００８】
上記課題を解決するために、請求項１記載の金具は、所定の物品をペンダントトップ及び帯留めとして使用可能とするためのものである。金具は、所定形状の主板、前記主板の外縁の特定部分から折れ曲がって延出している第１脚板、前記特定部分とは反対側の前記主板外縁の一部分から、前記第１脚板が延出している側と同じ側に折れ曲がって延出している第２脚板、及び前記主板から延出し、前記第１脚板と前記第２脚板とが対向する部分の間に設けられた第３脚板を有する。そして、前記第１脚板と前記第３脚板との間隔は、前記第２脚板と前記第３脚板との間隔よりも狭く形成されている。
また、上記課題を解決するために、請求項２記載の金具は、請求項１記載の金具であって、前記第１脚板、前記第２脚板及び前記第３脚板それぞれの延出端が接続される台座を有する。
また、上記課題を解決するために、請求項３記載の装身具は、請求項１または２記載の金具が取り付けられることにより、前記主板、前記第１脚板及び前記第３脚板により形成される第１溝部に前記ペンダントトップとして使用するための紐状部材を通すことが可能であり、且つ前記主板、前記第２脚板及び前記第３脚板により形成される第２溝部に前記帯留めとして使用するための帯締めを通すことが可能となっている。
【考案の効果】
【０００９】
本考案の金具によれば、所定の物品を帯留めとして使用する場合には帯や帯締めを傷つけにくく、また所定の物品をペンダントトップとして使用する場合には縦方向へ回転し難くすることができる。
【図面の簡単な説明】
【００１０】
【図１Ａ】実施形態に係る金具を示す正面図である。
【図１Ｂ】実施形態に係る金具を示す側面図である。
【図１Ｃ】実施形態に係る金具を示す背面図である。
【図２Ａ】実施形態に係る台座が取り付けられた金具を示す正面図である。
【図２Ｂ】実施形態に係る台座が取り付けられた金具を示す側面図である。
【図３Ａ】実施形態に係る金具が取り付けられた装身具を示す正面図である。
【図３Ｂ】実施形態に係る金具が取り付けられた装身具を示す側面図である。
【図４】実施形態に係る金具が取り付けられた装身具をペンダントトップとして用いる例を示す図である。
【図５】実施形態に係る金具が取り付けられた装身具を帯留めとして用いる例を示す図である。
【考案を実施するための形態】
【００１１】
図１〜図５を参照して、実施形態に係る金具１０及び装身具３０について説明を行う。図１Ｂは、図１Ａの金具１０を右側から見た側面図である。図２Ｂは、図２Ａの金具１０を右側から見た側面図である。図３Ｂは、図３Ａの装身具３０を右側から見た側面図である。図１Ａ、図２Ａ、図３Ａ、図４及び図５における破線部分は、当該部分が透視図であることを示す。また、本実施形態において、帯締め２００を金具１０へ挿入する方向（図１Ａ等における左右方向）を「横方向」、帯締め２００を金具１０へ挿入する方向と直交する方向（図１Ａ等における上下方向）を「縦方向」とする。
【００１２】
［金具］
図１Ａ〜図１Ｃ等に示す通り、金具１０は、主板１０ａ、第１脚板１０ｂ、第２脚板１０ｃ、第３脚板１０ｄを含んで構成される。主板１０ａと、第１脚板１０ｂ、第２脚板１０ｃ及び第３脚板１０ｄとは金型等によって一体成型されてもよいし、主板１０ａに対して各脚板をはんだ等で固定することでもよい。また、金具１０は、金属に限らず樹脂製、陶磁器、木製等であってもよい。
【００１３】
（主板）
主板１０ａは、所定形状の板状部材である。主板１０ａの形状は、特に限定されるものではなく、たとえば、長方形、円形、楕円形といった形状を採用することができる。本実施形態において、主板１０ａは台形に形成されている。
【００１４】
（第１脚板）
第１脚板１０ｂは、主板１０ａの外縁の特定部分から折れ曲がって延出している。第１脚板１０ｂの横方向の幅及び長さは特に限定されない。本実施形態に係る第１脚板１０ｂは、主板１０ａの上底部分（外縁の特定部分に相当する）と同じ幅に形成されており、主板１０ａの上底部分からほぼ垂直に折れ曲がって延出している（図１Ｂ参照）。
【００１５】
（第２脚板）
第２脚板１０ｃは、特定部分とは反対側の主板１０ａ外縁の一部分から、第１脚板１０ｂが延出している側と同じ側に折れ曲がって延出している。第２脚板１０ｃの横方向の幅及び長さは特に限定されない。本実施形態に係る第２脚板１０ｃは、主板１０ａの下底部分（外縁の一部分に相当する）と同じ幅に形成されており、主板１０ａの下底部分から外側（第１脚板１０ｂとの間隔が広がる方向）に折れ曲がって延出している（図１Ｂ参照）。このように、第２脚板１０ｃを外側に折り曲げることにより、帯締め２００を通す際に通しやすくなる。
【００１６】
（第３脚板）
第３脚板１０ｄは、主板１０ａから延出し、第１脚板１０ｂと第２脚板１０ｃとが対向する部分の間に設けられている。第３脚板１０ｄの横方向の幅及び長さは特に限定されない。本実施形態に係る第３脚板１０ｄは、主板１０ａの縦方向の中心よりも上側（上底側）に設けられており、その位置における主板１０ａの横幅と同じ幅に形成されている（図１Ｂ、図１Ｃ参照）。
【００１７】
（第１脚板、第２脚板、第３脚板の間隔）
第１脚板１０ｂと第３脚板１０ｄとの間隔αは、第２脚板１０ｃと第３脚板１０ｄとの間隔βよりも狭く形成されている。間隔αは、少なくとも第１脚板１０ｂと第２脚板１０ｃとの間隔γの１／２より狭く、１／３以下であることがより好ましい。
【００１８】
金具１０をはんだ等で装飾部分２０に直接取り付けることにより、ペンダントトップ兼帯留めとして用いることが可能な装身具３０を提供できる。また、たとえばブローチのような単一の装身具に金具１０を取り付けることで所謂３ＷＡＹ（ブローチ、ペンダントトップ、帯留め）の装身具とすることも可能である。或いは、箸置き等、高いデザイン性を有するが、通常は装身具として用いる目的で作られていない物品であっても、金具１０をつけることによりペンダントトップや帯留めとして使用できる。すなわち、「物品」には、予め金具１０を取り付けることを目的として作成された装飾部分２０だけでなく、既存の装身具（ブローチ等）や、装身具として作られたものではないが高いデザイン性を有するものが含まれる。
【００１９】
［台座のある金具］
物品によっては熱に弱いものもあるため、金具１０をロウ付けすることが困難な場合がある。また、様々な物品に対して金具１０を取り付けるためには、特殊な技能を必要としない、より取り付けやすい構成が望ましい。そこで、図２Ａ及び図２Ｂ等に示すように、金具１０に台座１０ｅを取り付けることが考えられる。台座１０ｅは、第１脚板１０ｂ、第２脚板１０ｃ及び第３脚板１０ｄそれぞれの延出端Ｅｂ、Ｅｃ、Ｅｄが接続される。台座１０ｅの形状や厚さは特に限定されるものではない。
【００２０】
なお、本実施形態では台座１０ｅが平坦であるが、物品の曲面部分に金具１０を取り付ける場合には、台座１０ｅを曲面に形成することも可能である（その場合、第３脚板１０ｄを他の脚板よりも長く形成することが望ましい）。
【００２１】
［装身具］
図３Ａ及び図３Ｂは、台座１０ｅのある金具１０を装飾部分２０に取り付けた装身具３０を示す図である。このような装身具３０をペンダントトップとして用いる場合、主板１０ａ、第１脚板１０ｂ及び第３脚板１０ｄにより形成される第１溝部Ｘにチェーン１００を通して首に掛ける（図４参照。図４は装身具３０を着用者の首に掛けた状態を示している）。この場合、第１溝部Ｘの縦方向の幅が狭いため、チェーン１００が縦方向に大きくずれることなく、チェーン１００は装身具３０の重心よりも常に上側に位置する。よって、装身具３０をペンダントトップとして使用した場合であっても、縦方向に回転して裏側が見えてしまうという問題が起き難い。なお、チェーン１００は、「紐状部材」の一例である。紐状部材は、樹脂製や布製であってもよい。
【００２２】
一方、装身具３０を帯留めとして用いる場合、主板１０ａ、第２脚板１０ｃ及び第３脚板１０ｄにより形成される第２溝部Ｙに帯締め２００を通して帯の上で固定する（図５参照。図５では帯の記載を省略している）。この場合、装身具３０の裏面は主板１０ａのみの簡素な構成であるため、帯の上でずれた場合にも引っ掛かりが少なく、また帯締め２００は第２溝部Ｙを通すだけでよい。従って、帯そのものや帯締め２００を傷つけにくい。
【００２３】
上記実施形態は、例として提示したものであり、考案の範囲を限定するものではない。また、上記の構成は、適宜組み合わせて実施することが可能であり、考案の要旨を逸脱しない範囲で、種々の省略、置き換え、変更を行うことができる。それらの実施形態やその変形は、考案の範囲や要旨に含まれると同様に、実用新案登録請求の範囲に記載された考案とその均等の範囲に含まれる。
【符号の説明】
【００２４】
１０  金具
１０ａ  主板
１０ｂ  第１脚板
１０ｃ  第２脚板
１０ｄ  第３脚板
【図１Ａ】
0003200488.tif 000003
【図１Ｂ】
0003200488.tif 000004
【図１Ｃ】
0003200488.tif 000005
【図２Ａ】
0003200488.tif 000006
【図２Ｂ】
0003200488.tif 000007
【図３Ａ】
0003200488.tif 000008
【図３Ｂ】
0003200488.tif 000009
【図４】
0003200488.tif 000010
【図５】
0003200488.tif 000011